(57)【要約】【課題】損傷または断線したアンテナを修復し、無線ＩＣタグを交換することなく再使用したり、記録されている情報を回収する。【解決手段】本発明の無線ＩＣタグは、ＩＣチップ１と該ＩＣチップ１に接続されるアンテナ２を有する無線ＩＣタグＴであって、アンテナ２を保持するとともに１軸延伸性を有する第１の基材３を備えている。  本発明の無線ＩＣタグの修復方法は、ＩＣチップ１と該ＩＣチップ１に接続されるアンテナ２を有する無線ＩＣタグＴの修復方法であって、アンテナ２を保持するとともに１軸延伸性を有する第１の基材３を備え、加熱により、第１の基材３を熱収縮させることで、アンテナ２を収縮させて該アンテナ２の断線または損傷ｋを修復している。【選択図】図３
2010140374.tif 000002
【特許請求の範囲】
【請求項１】
ＩＣチップと該ＩＣチップに接続されるアンテナを有する無線ＩＣタグであって、
前記アンテナを保持するとともに１軸延伸性を有する第１の基材を備える
ことを特徴とする無線ＩＣタグ。
【請求項２】
前記第１の基材と積層され、前記第１の基材よりも熱軟化点が低い無延伸性を有する第２の基材を備える
ことを特徴とする請求項１に記載の無線ＩＣタグ。
【請求項３】
前記第２の基材と積層され、前記第２の基材および前記第１の基材よりも熱軟化点が高い無延伸性を有する第３の基材を備える
ことを特徴とする請求項２に記載の無線ＩＣタグ。
【請求項４】
ＩＣチップと該ＩＣチップに接続されるアンテナを有する無線ＩＣタグであって、
前記アンテナを保持するとともに、１軸延伸性を有し、前記アンテナに断線または損傷が発生した場合、その軟化点温度以上に加熱されることにより熱収縮し、前記アンテナの断線または損傷を接続する第１の基材を備える
ことを特徴とする無線ＩＣタグ。
【請求項５】
前記第１の基材と積層され、前記第１の基材よりも熱軟化点が低い無延伸性を有し、前記加熱時、熱軟化する第２の基材を備える
ことを特徴とする請求項４に記載の無線ＩＣタグ。
【請求項６】
前記第２の基材と積層され、前記第２の基材および前記第１の基材よりも熱軟化点が高い無延伸性を有し、前記加熱時、前記無線ＩＣタグの変形を抑制する第３の基材を備える
ことを特徴とする請求項５に記載の無線ＩＣタグ。
【請求項７】
前記第１の基材は、その延伸軸方向がアンテナの長手方向に一致または沿う
ことを特徴とする請求項１から請求項６のうちの何れか一項に記載の無線ＩＣタグ。
【請求項８】
ＩＣチップと該ＩＣチップに接続されるアンテナを有する無線ＩＣタグの修復方法であって、
前記アンテナを保持するとともに１軸延伸性を有する第１の基材を備え、
加熱により、前記第１の基材を熱収縮させることで、前記アンテナを収縮させて該アンテナの断線または損傷を修復する
ことを特徴とする無線ＩＣタグの修復方法。
【請求項９】
前記第１の基材と積層され、前記第１の基材よりも熱軟化点が低い無延伸性を有する第２の基材を備え、
前記加熱により、前記第２の基材を熱軟化させるとともに前記第１の基材を熱収縮させることで、前記アンテナを収縮させて該アンテナの断線または損傷を修復する
ことを特徴とする請求項８に無線ＩＣタグの修復方法。
【請求項１０】
前記第２の基材と積層され、前記第２の基材および前記第１の基材よりも熱軟化点が高い無延伸性を有する第３の基材を備え、
前記加熱により、前記第２の基材を熱軟化させるとともに前記第１の基材を熱収縮させることで、前記アンテナを収縮させて該アンテナの損傷または破断を修復し、かつ、前記前第３の基材が前記無線ＩＣタグの変形を抑制する
ことを特徴とする請求項９に記載の無線ＩＣタグの修復方法。
【請求項１１】
前記第１の基材が有する延伸方向が前記アンテナの長手方向に一致または沿う
ことを特徴とする請求項８から請求項１０のうちの何れか一項に記載の無線ＩＣタグの修復方法。
【発明の詳細な説明】
【技術分野】
【０００１】
本発明は、情報を無線で送信または受信する無線ＩＣタグおよびその修復方法に関する。
【背景技術】
【０００２】
近年、個々人に対する情報管理、物品の情報管理や物流管理などに、情報の読み取り、書き込み可能な無線ＩＣタグ１００(図４参照)が広汎に利用されている。
なお、図４(ａ)は、従来のダイポールアンテナを使用した無線ＩＣタグ１００を示す正面図であり、図４(ｂ)は、図４(ａ)のＤ−Ｄ線断面図である。
この無線ＩＣタグ１００は、情報を記録するメモリをもつ微小なＩＣチップ１０１と、該ＩＣチップ１０１のメモリに記録された情報を無線で送信したり、情報や、伝送される電力を受信する小さなアンテナ１０２と、アンテナ１０２が搭載される基材１０３とを有し構成されている。
【０００３】
この無線ＩＣタグ１００は、例えば、細長いアンテナ１０２の中央部付近に、縦・横寸法０．４ｍｍ、厚さ寸法０.１ｍｍ程度の小さなＩＣチップ１０１が取り付けられており、ラベルやシールが貼られたり、紙カードの中に収容されたり、人が携帯したり、物品等に貼り付ける等して使用されている。
そして、リーダ／ライタ(図示せず)を、ラベルやシールに付された無線ＩＣタグ１００、紙カードの中に収容された無線ＩＣタグ１００等にかざすことで、非接触でＩＣチップ１０１に記録されている情報を読み取り、個人の情報や個々の物品、動物の管理等を行うことができる。
【０００４】
無線ＩＣタグ１００のアンテナ１０２は、主に、図４に示すダイポールアンテナが用いられている。このアンテナ１０２は、例えば、アンテナ１０２を構成するアルミをエッチングすることにより、インピーダンスマッチングを行うための連続したＬ字状のスリット１０２ｓをもつ所望の形状に形成されている。
なお、本願に係る文献公知発明として、特許文献１がある。
【特許文献１】特開２００８−２１００３２号公報(段落００２５、００２９、図１、図７等)
【発明の開示】
【発明が解決しようとする課題】
【０００５】
ところで、上述の無線ＩＣタグ１００は、最近では、入場券、証明書などのカード形状への適用が盛んに行われている。
無線ＩＣタグ１００が入場券、証明書などのカード形状へ適用された場合、無線ＩＣタグ１００のアンテナ１０２は、通常２０μｍ厚程度のアルミ箔で形成されているため、無線ＩＣタグ１００が収容されたカードＣ(図４(ｂ)参照)を所持する人が、カードＣを繰り返して曲げたりすると、図４(ｂ)の矢印α10のように、無線ＩＣタグ１００に繰り返して連続的に曲げ応力がかかり、アンテナ１０２が金属疲労を起こし、図５に示すように、アンテナ１０２に亀裂ｋ１０が生じ、アンテナ１０２が断線または損傷する場合がある。
これは、アルミ蒸着によるさらに薄いアンテナ１０２の場合も同じである。
【０００６】
なお、図５(ａ)は、従来の無線ＩＣタグ１００に繰り返して連続的に曲げ応力がかかり破断した状態を示す正面図であり、図５(ｂ)は、図５(ａ)のＥ−Ｅ線断面図である。
アンテナ１０２が断線または損傷することにより、無線ＩＣタグ１００の通信能力が低下したり、通信不良となり、無線ＩＣタグ１００が機能を失うか、アンテナ１０２が破断する前よりも通信距離の低下が発生する。このような場合、無線ＩＣタグ１００を新しいものに交換しなければならない。
また、無線ＩＣタグ１００が通信不能となることにより、ＩＣチップ１０１内に記録されている情報を失うリスクが発生する。
【０００７】
本発明は上記実状に鑑み、断線または損傷を受けたアンテナを修復し、無線ＩＣタグを交換することなく再使用したり、ＩＣチップに記録されている情報を回収することが可能な無線ＩＣタグおよびその修復方法の提供を目的とする。
【課題を解決するための手段】
【０００８】
上記目的を達成すべく、第１の本発明に関わる無線ＩＣタグは、ＩＣチップと該ＩＣチップに接続されるアンテナを有する無線ＩＣタグであって、アンテナを保持し、１軸延伸性を有する第１の基材を備えている。
【０００９】
第２の本発明に関わる無線ＩＣタグは、ＩＣチップと該ＩＣチップに接続されるアンテナを有する無線ＩＣタグであって、アンテナを保持するとともに、１軸延伸性を有し、アンテナに断線または損傷が発生した場合、その軟化点温度以上に加熱されることにより熱収縮し、アンテナの断線または損傷を接続する第１の基材を備えている。
【００１０】
第３の本発明に関わる無線ＩＣタグの修復方法は、ＩＣチップと該ＩＣチップに接続されるアンテナを有する無線ＩＣタグの修復方法であって、アンテナを保持するとともに１軸延伸性を有する第１の基材を備え、加熱により、第１の基材を熱収縮させることで、アンテナを収縮させて該アンテナの断線または損傷を修復している。
【発明の効果】
【００１１】
本発明によれば、断線または損傷を受けたアンテナを修復し、無線ＩＣタグを交換することなく再使用したり、ＩＣチップに記録されている情報を回収することができる無線ＩＣタグおよびその修復方法を実現できる。
【発明を実施するための最良の形態】
【００１２】
以下、本発明の実施形態について添付図面を参照して説明する。
図１(ａ)は、本発明に係わる実施形態の無線ＩＣタグＴを示す正面図であり、図１(ｂ)は、図１(ａ)のＡ−Ａ線断面図である。
＜＜無線ＩＣタグＴの概要＞＞
実施形態の無線ＩＣタグＴ(図１参照)は、ＩＣチップ１のメモリに記録される情報を、リーダ／ライタ(図示せず)で読み取ることにより、情報の管理を行うものであり、例えば入場券、証明書などのカードＣ内(図１(ｂ)参照)に収容され使用される。
無線ＩＣタグＴは、ＩＣチップ１と該ＩＣチップ１と接続されるアンテナ２とを有しており、図１(ｂ)に示すように、アンテナ２に隣接して、アンテナ２を保持するとともに、アンテナ２の長手方向に一致または沿った延伸方向をもつ１軸延伸性を有する第１の基材３を備えている。
【００１３】
そして、図２に示すように、無線ＩＣタグＴのアンテナ２が亀裂ｋによって断線または損傷した場合、図３(ｂ)に示すように、第１の基材３に軟化点に達する熱(図３(ｂ)の矢印β１参照)を加えることで、第１の基材３を延伸方向(図３の紙面左右方向)に収縮させることによりアンテナ２を長手方向に収縮させ、アンテナ２の断線または損傷を修復している。
なお、図２(ａ)は、実施形態の無線ＩＣタグＴのアンテナ２に亀裂ｋが生じて断線した状態を示す正面図であり、図２(ｂ)は、図２(ａ)のＢ−Ｂ線断面図である。
図３(ａ)は、実施形態の無線ＩＣタグＴのアンテナ２に亀裂ｋが生じ、断線した状態を示す側面図であり、図３(ｂ)は、図３(ａ)の実施形態の無線ＩＣタグＴのアンテナ２の亀裂ｋを修復する過程を示す側面図である。
【００１４】
以下、無線ＩＣタグＴの構成について詳細に説明する。
＜無線ＩＣタグＴ＞
図１に示す無線ＩＣタグＴは、リーダ／ライタ(図示せず)で読み取られる情報が記録されるＩＣチップ１と、ほぼ中央部にＩＣチップ１が電極を介して接続されるアンテナ２と、ＩＣチップ１を実装したアンテナ２が搭載される絶縁体の第１の基材３、第２の基材４、および第３の基材５(図１(ｂ)参照)を備え構成されている。
図１(ａ)に示すように、ダイポールアンテナを形成するアンテナ２の中央部には、インピーダンスマッチングを行うためのＬ字状のＬ型スリット２ｓが、アンテナ１０２を構成するアルミ等をエッチングすることにより、または、アルミ等を蒸着する際にマスキングすることにより、中央部に形成されている。
【００１５】
Ｌ型スリット２ｓの一端は、アンテナ２の短手方向の一方の端縁部まで延在し、アンテナ２の短手方向の一方端を分離している。
そして、Ｌ型スリット２ｓにおけるアンテナ２の短手方向の一方の端縁部まで延在する箇所を跨いだ態様で、ＩＣチップ１の２つの電極（図示せず）がアンテナ２に接続されている。なお、Ｌ型スリット２ｓは、Ｔ型スリットでもよく、その他インピーダンスマッチングを行える形状であればよいのは勿論である。
【００１６】
＜無線ＩＣタグＴのＩＣチップ１＞
無線ＩＣタグＴのＩＣチップ１は、例えば、アンテナ２からの入力電圧からＩＣチップ１を保護するリミッタ回路と、アンテナ２に入力される交流を直流に変換する整流回路と、リーダ・ライタから送信されるコマンド、データ等を「１」、「０」の信号列に戻す復調回路と、リーダ・ライタへ送信データで搬送波を変調する変調回路と、情報の送受信、内部メモリへのリード、ライト等の制御を行うための制御回路と、情報を記憶するメモリとを有している。
【００１７】
＜無線ＩＣタグＴのアンテナ２＞
無線ＩＣタグＴのアンテナ２は、第１の基材３上にアルミニュウム、銅等をエッチング、銀などの導電性ペーストの印刷等で形成されている。この構成により、リーダ／ライタ(図示せず)を用いて、無線によって、第１のアンテナ１を介して、ＩＣチップ１のメモリに記憶される情報を読み取り、または、ＩＣチップ１のメモリに情報を記録する。
【００１８】
＜無線ＩＣタグＴの第１の基材３、第２の基材４、第３の基材５＞
アンテナ２を保持する第１の基材３、第２の基材４、および第３の基材５は、アンテナ２が断線または損傷した場合に、無線ＩＣタグＴを加熱することによって、アンテナ２に隣接して配置される第１の基材３の１軸延伸性によって、アンテナ２を修復する機能を有する。
【００１９】
なお、延伸とは、合成樹脂をある程度の加熱をしながら一定方向に引き揃えると分子が変形方向に並び強度が増す性質を利用して、フィルムを一軸方向または二軸方向に引っ張る加工であり、更に耐薬品性や透明性の向上も図れる。特に、ポリエステル、ポリプロピレン、ナイロンなどでその性質が顕著に現れる。
この延伸加工を施すフィルムは、引き伸ばし後に薄くなることを計算して一次製造時に厚く成型する。そして、延伸する際にかけた温度を超える熱量がかかると、延伸フィルムは収縮するという性質を有する。
【００２０】
図１(ｂ)に示すアンテナ２が搭載される第１の基材３は、アンテナ２を保持するベースフィルムであり、アンテナ２の長手方向(図１(ａ)、(ｂ)の紙面左右方向)に縮む１軸延伸フィルムを使用している。
すなわち、第１の基材３は、アンテナ２の長手方向に沿って１軸方向に収縮することが可能である。第１の基材３としては、例えばＰＥＴ(PolyEthilene  Terephthalate)フィルム等が使用される。
【００２１】
このように、第１の基材３の延伸軸をアンテナ２の長手方向に一致または沿わせることにより、アンテナ２に亀裂ｋ(図２参照)が入り、アンテナ２が断線または損傷した場合に、無線ＩＣタグＴを加熱して１軸延伸フィルムの第１の基材３を熱収縮させることにより、隣接して配置されるアンテナ２を収縮させて、亀裂ｋ(図２参照)を修復できるように構成している(図３(ｂ)参照)。
なお、第１の基材３は、ＰＥＴに代替して、ＰＥＮ(Polyethyleneterephtalate：ポリエチレンナフタレート)とすることも可能である。
【００２２】
図１(ｂ)に示す第１の基材３に隣接する第２の基材４は、アンテナ２を修復する際の加熱により軟らかくなり、無線ＩＣタグＴ全体を保持している支持部材の第３の基材５の拘束力を緩和する役割を果たす部材であり、例えばＰＥ(Polyethylene：ポリエチレン)等の無延伸フィルムが使用されている。
なお、第２の基材４でアンテナ２の部分を覆うように構成してもよい。
図１(ｂ)に示す第２の基材４に隣接する第３の基材５は、無線ＩＣタグＴ全体を保持する支持部材の機能を果たすものであり、アンテナ２を修復するために加熱した際に第１の基材３の収縮により、無線ＩＣタグＴの曲りや反りを防止する機能を有しており、例えばＰＰ(PolyPropylene：ポリプロピレン)等の無延伸フィルムが使用される。
【００２３】
図１(ｂ)に示すアンテナ２の厚さ寸法は、例えば、２０μｍ、第１の基材３の厚さ寸法は、例えば、４０μｍ、第２の基材４の厚さ寸法は、例えば、２０μｍ、第３の基材５の厚さ寸法は、例えば、８０μｍが選択されている。なお、これらの寸法に限定されないのは勿論である。
【００２４】
＜第１の基材３、第２の基材４、第３の基材５の熱軟化点＞
次に、第１の基材３、第２の基材４、第３の基材５の熱軟化点について説明する。
１軸延伸性を有する第１の基材３に隣接する第２の基材４は、第１の基材３より、加熱による軟化点が低い材料が用いられ、この第２の基材４に隣接する第３の基材５は、加熱による軟化点が第１の基材３、第２の基材４より高い材料が用いられ、無線ＩＣタグＴの強度を保つ支持部材を構成している。
すなわち、第１の基材３、第２の基材４、および第３の基材５のそれぞれの軟化点温度は、次の関係にある。
第３の基材５＞第１の基材３＞第２の基材４
【００２５】
例えば、第３の基材５にＰＰが使用された場合、加熱による軟化点は約１４０〜１５０℃であり軟化点が一番高い。
第１の基材３にＰＥＴフィルムが使用された場合、加熱による軟化点は約１１０℃であり軟化点が二番目に高い。
第２の基材４にＰＥが使用された場合、加熱による軟化点は約８０〜９０℃であり軟化点が、他の第１の基材３、第３の基材５に比較し、一番低くしている。
【００２６】
この構成により、アンテナ２が断線または損傷を受けた際、加熱することにより、第１の基材３の１軸延伸性により、第１の基材３を熱収縮させることでアンテナ２を収縮させ修復させる場合、第１の基材３に隣接する第２の基材４が最も柔らかく、最も硬い支持部材の第３の基材５の干渉材となるので、第３の基材５が無線ＩＣタグＴ全体を支持し、無線ＩＣタグＴに曲がり、ソリを発生することなく、アンテナ２の修復を行うことができる。
【００２７】
＜無線ＩＣタグＴのアンテナ２の断線または損傷＞
次に、無線ＩＣタグＴのアンテナ２が断線または損傷する現象について説明する。
図１(ｂ)に示すように、無線ＩＣタグＴが、入場券、証明書などのカードＣ内に収容され使用される場合、カードＣを所持する人が、無作為にカードＣを繰り返し連続して折ることがある。
この際、カードＣ内の無線ＩＣタグＴには、図１(ｂ)の矢印α１に示すように、繰り返し連続的に曲げ応力がかかりアンテナ２の金属疲労により、図２に示すように、アンテナ２に亀裂ｋが生じ、アンテナ２が断線または損傷する場合がある。
【００２８】
＜アンテナ２の断線または損傷の修復＞
次に、このアンテナ２の断線または損傷に対する修復について説明する。
図３(ａ)に示すように、アンテナ２に亀裂ｋが生じた無線ＩＣタグＴを、図３(ｂ)に示すように、アンテナ２の破断部である亀裂ｋの周辺、またはアンテナ２の全体を外部より、ヒータやヒートガン(図示せず)で、図３(ｂ)の矢印β１のように、例えば１１０℃から１２０℃に加熱し、１軸延伸性を有する第１の基材３を延伸方向に収縮させる。
【００２９】
ここで、前記したように、第１の基材３であるＰＥＴの軟化点温度は、約１１０℃であり、第２の基材４であるＰＥの軟化点は約８０〜９０℃であるので、加熱により、第１の基材３が延伸方向に熱収縮するとともに、第２の基材４が熱軟化し、第１の基材３と第２の基材４とが、図３(ｂ)の矢印β21、β22のように収縮し、この際、アンテナ２には、図３(ｂ)の矢印α21、α22に示す力が働き、アンテナ２の亀裂ｋが修復される(図３(ｂ)参照)。
なお、このアンテナ２の修復時、第３の基材５の軟化点は、約１４０〜１５０℃であるので、熱によって軟化することなく、無線ＩＣタグＴのソリ等の変形を抑制し支持部材の役割を果たしている。  
このように、第１の基材３を軟化点以上の温度にすることにより熱収縮させ、アンテナ２を収縮させて、アンテナ２の断線または損傷を修復する。
ここで、ヒータやヒートガンの加熱温度は、１軸延伸性を有する第１の基材３の収縮が開始される温度とし、支持部材の第３の基材５が軟化し過ぎないように温度を制御する必要がある。
【００３０】
なお、ＩＣチップ１は、さらなる高温まで耐熱性を有するので、その機能が損なわれることはない。
また、このアンテナ２を修復する際の加熱時、図２(ａ)に示すＬ型スリット２ｓは、アンテナ２の短手方向にＬ型スリット２ｓに隣接する接続部Ｓが、図３(ｂ)の矢印α21、α22に示す力を支えることになるので、図３(ｂ)の矢印α21、α22に示す力によってＬ型スリット２ｓに悪影響が及ぶことが防止される。
なお、前記したように、アンテナ２の亀裂ｋの周辺をスポット的に加熱してもよいし、或いは、アンテナ２のＬ型スリット２ｓに対向する箇所にＬ型スリット２ｓの保持部材を設けてもよい。
【００３１】
＜＜まとめ＞＞
無線ＩＣタグＴのアンテナ２を保持する第1の基材３に１軸延伸性を有する材料を使用し、アンテナ２の長手方向と第1の基材３の延伸軸方向とを一致または沿わせる構造とし、アンテナ２に断線または損傷が発生した場合、第１の基材３の軟化点温度以上に無線ＩＣタグＴを加熱することにより第1の基材３を延伸方向に熱収縮させ、もってアンテナ２を収縮させてアンテナ２の破断部(図２、図３(ａ)に示す亀裂ｋ)を接続する。
すなわち、アンテナ２のベースフィルムである第１の基材３を熱収縮させることにより、アンテナ２の破断部(亀裂ｋ)を再接続させている。
これにより、アンテナ２に断線または損傷が発生した場合に、無線ＩＣタグＴを交換することなく機能回復を行うことができる。
【００３２】
＜＜作用効果＞＞
上記構成によれば、無線ＩＣタグＴのアンテナ２が断線または損傷した場合、第1の基材３が有する１軸延伸性を利用し、軟化点以上の温度の熱を加えることにより、第1の基材３を延伸軸方向に熱収縮させ、もってアンテナ２を収縮させ、断線または損傷したアンテナ２を再度電気的に接続することが可能である。
このように、断線または損傷したアンテナ２が修復されるため、無線ＩＣタグＴを交換することなく再使用することができる。
さらに、修復した無線ＩＣタグＴを使用しない場合にも、ＩＣチップ１のメモリに記録されている情報を回収することができる。
【００３３】
なお、本実施形態においては、アンテナ２に隣接して１軸延伸性を有する第1の基材３を備える場合を例示して説明したが、加熱によって、第1の基材３が熱収縮することによりアンテナ２が収縮して、アンテナ２の断線または損傷が修復されれば、必ずしも、アン  テナ２に隣接して第1の基材３が配置されなくともよい。
【００３４】
また、本実施形態においては、無線ＩＣタグＴの最適な構成を例示して説明したが、第1の基材３の延伸量を調整すれば、アンテナ２の縮む量を調整できるので、第２の基材４、第３の基材５に別の材料を適宜選択してもよいし、或いは、第２の基材４、第３の基材５のうちの少なくとも一つを無くしてもよい。
例えば、カードＣを構成する樹脂の軟化点の温度が高ければ、第３の基材５を省略してもよいし、場合によっては、第２の基材４も省略可能である。
【００３５】
また、本実施形態においては、アンテナ２の長手方向と１軸延伸性を有する第1の基材３の延伸方向が一致または沿う場合を例示して説明したが、アンテナ２に対して所望の方向に１軸延伸性を有する第1の基材３の延伸方向を配置することができる。
この場合、第1の基材３を軟化点以上に加熱することにより、アンテナ２を、所望の方向に収縮させ、アンテナ２に発生した破断または損傷を修復することができる。
このように、アンテナ２に対する１軸延伸性を有する第1の基材３の延伸方向は、適宜選択可能である。
【００３６】
また、第1の基材３、第２の基材４、および第３の基材５のそれぞれの材料は、例示したものに限定されず、特許請求の範囲に記載した範囲において、適宜選択できるのは勿論である。
【００３７】
なお、本発明は、クレジットカード、キャッシュカード、定期券、プリペイカード、紙製のチケット、書類、書籍、ノート、手帳などに無線ＩＣタグＴを埋設する場合や、無線ＩＣタグＴを貼り付ける用途等にも適用可能であり、無線ＩＣタグＴの全ゆる用途に適用可能である。
【図面の簡単な説明】
【００３８】
【図１】(ａ)は、本発明に係わる実施形態の無線ＩＣタグを示す正面図であり、(ｂ)は、図１(ａ)のＡ−Ａ線断面図である。
【図２】(ａ)は、実施形態の無線ＩＣタグのアンテナに亀裂が生じて断線した状態を示す正面図であり、(ｂ)は、(ａ)のＢ−Ｂ線断面図である。
【図３】(ａ)は、実施形態の無線ＩＣタグのアンテナに亀裂が生じ、断線した状態を示す側面図であり、(ｂ)は、(ａ)の実施形態の無線ＩＣタグのアンテナの亀裂を修復する過程を示す側面図である。
【図４】(ａ)は、従来のダイポールアンテナを使用した無線ＩＣタグを示す正面図であり、(ｂ)は、(ａ)のＤ−Ｄ線断面図である。
【図５】(ａ)は、従来の無線ＩＣタグに繰り返して連続的に曲げ応力がかかり破断した状態を示す正面図であり、(ｂ)は、(ａ)のＥ−Ｅ線断面図である。
【符号の説明】
【００３９】
１      ＩＣチップ
２      アンテナ
３      第１の基材
４      第２の基材
５      第３の基材
ｋ      亀裂(アンテナの断線または損傷)
Ｔ      の無線ＩＣタグ
【図１】
2010140374.tif 000003
【図２】
2010140374.tif 000004
【図３】
2010140374.tif 000005
【図４】
2010140374.tif 000006
【図５】
2010140374.tif 000007